(57)【要約】【課題】  ポスターを掲示するためのポスターパネルであって、ポスターの取り付けが容易なポスターパネルを提供すること。【解決手段】  平板状のバックボード（２）と、該バックボードの周囲に設けられた枠体（３）と、バックボード表面の一方の端縁部付近に取り付けられポスターを粘着固定する粘着テープ（１０）とを備えたポスターパネル。前記枠体は、前記バックボードの周縁部に固定される基部（４）と、該基部に対しバックボード面に対し離れる開方向及び密着する閉方向に回動自在に設けられ、閉状態ではバックパネル上のシート材を弾力的に押圧固定するが、バックパネル面から離れる方向に回動した開状態ではシート材を開放する押え部材（５）とを備えている。【選択図】図１
2009169114.tif 000002
【特許請求の範囲】
【請求項１】
平板状のバックボードと、該バックボードの周縁部に設けられ該バックボード上に重ねられたポスターを固定する枠体と、前記バックボード表面の一方の端縁部付近に取り付けられ前記ポスターの裏面を粘着固定する両面粘着テープとを備えていることを特徴とするポスターパネル。
【請求項２】
前記枠体は、前記バックボードの周縁部に固定される基部材と、該基部材に対し回動自在に設けられた押え部材とを備え、該押え部材は、閉状態ではバックボード上のポスター等を弾力的に押圧固定するが、バックボード表面から離れる方向に回動させることにより、ポスターの固定を解除することのできるように構成されている請求項１に記載のポスターパネル。
【請求項３】
前記粘着テープは、芯材の裏面側に比較的強い粘着力を発揮する強粘着剤層が形成され、表面側には比較的弱い粘着力を有する弱粘着剤層が形成されている両面粘着テープである請求項１または２に記載のポスターパネル。
【発明の詳細な説明】
【技術分野】
【０００１】
本発明は、絵や文字が描かれたポスターを展示するために使用するポスターパネルに関するものである。
【背景技術】
【０００２】
ポスターを剥れないように保持して人が見やすいように展示するための額縁状のポスターパネルが広く使用されている。このポスターパネルは、例えば四角形のバックボードの周囲に枠体を設けたもので、ポスターをこのバックボードの表面に重ねて、その上から透明な保護カバーを被せることにより該ポスターを固定保持するものが一般的である。これ以外にも種々の構造のものがある。
【０００３】
この種のポスターパネルについては、多数の特許出願や実用新案登録出願がなされていて、その例を挙げれば、例えば下記特許文献に開示されているものがある。
【０００４】
【特許文献１】特開平０６−２８４９５０号公報
【特許文献２】実開平０２−１１１１９２号公報
【０００５】
上記特許文献１に開示されているポスターパネルは、ポスターを挿通し得る開口溝を有する開口縁と、断面コ字形凹溝を有する奥縁と、これらの開口縁と奥縁の両端部を相互に連結する断面コ字形凹溝を有する一対の側縁とによって形成される矩形フレームと、この矩形フレームに収納されるポスターとの組み合わせ構成されるもので、矩形フレームの内部に開口溝と断面コ字形凹溝を設けているので、ポスターをこの開口溝と断面コ字形凹溝とを介してスライド式に挿通することにより、簡単に収納したり、あるいは差し替えることができるようにしたものである。
【０００６】
また、上記特許文献２には、枠体を嵌合部材で接続し、下地パネルを装着する組み立てポスターパネルが開示されている。このポスターパネルの枠体は、接合部材の嵌合部、下地パネルの装着部および断面円形の回動軸部を有する基部材と、基部材の回動軸部に回動自在に嵌合する断面Ｃ字型の嵌合部を備えた回動部材からなる開閉式のものである。
【発明の開示】
【発明が解決しようとする課題】
【０００７】
上記特許文献１に記載のポスターパネルは、ポスターをスライド式に挿入するもので、盗難防止機能を備えたものであるが、ポスターをスライドさせるためにはある程度の剛性が必要であるから、柔軟なポスターを取り付けるのは難しく、特に筒状の巻き癖のついたポスターを取り付けるのは極めて困難であると考えられる。
【０００８】
また、上記特許文献２に記載のものは、枠体が回動する開閉式のものであり、平板状のポスターを取り付けるのは比較的簡単であると思われるが、上記のように筒状の巻き癖のついたポスターを取り付ける場合は、ポスターを片手で引き伸ばしながら取り付けなければならないので、煩雑な手間が必要であると考えられる。
【０００９】
そこで本発明は、上記事情に鑑み、ポスターの着脱が容易であり、例えば筒状に巻いたポスターでも比較的簡単に適正な姿勢で取り付けることのできるポスターパネルを提供することを課題としている。
【課題を解決するための手段】
【００１０】
本発明は、上記課題を解決するため、次のような構成を採用した。すなわち、本発明に係るポスターパネルは、平板状のバックボードと、該バックボードの周縁部に設けられ該バックボード上に重ねられたポスターを固定する枠体と、前記バックボード表面の一方の端縁部付近に取り付けられポスターの裏面を粘着固定する両面粘着テープとを備えていることを特徴としている。
【００１１】
前記枠体は、前記バックボードの周縁部に固定される基部材と、該基部材に対し回動自在に設けられた押え部材とを備え、該押え部材は、閉状態ではバックボード上のポスター等を弾力的に押圧固定するが、バックボード表面から離れる方向に回動させることにより、ポスターの固定を解除することのできるように構成されているものが好ましい。また、前記両面粘着粘着テープは、芯材の裏面側に比較的強い粘着力を発揮する強粘着剤層が形成され、表面側には比較的弱い粘着力を有する弱粘着剤層が形成されているものが好ましい。
【発明の効果】
【００１２】
本発明に係るポスターパネルは、下地パネルであるバックボードの外縁部に両面粘着テープを取り付けることにより、この両面粘着テープシートにポスターの一方の縁部付近を粘着させて固定し、ポスターを仮止めした状態とすることができるので、ポスターの位置決めと取り付け作業が簡単である。例えば筒状に巻かれたポスターでも、上端部を前記両面粘着テープに粘着固定することにより、片手で該ポスターを引き伸ばして広げることができるので、従来取り付けが困難であった筒状に巻かれたポスターを適正な姿勢で簡単に取り付けることができる。
【発明を実施するための最良の形態】
【００１３】
以下、本発明の実施形態について具体的に説明する。図１、図２は、本発明に係るポスターパネルの一例を表すもので、このポスターパネル１は、外形が四角形に形成されており、バックボード（下地パネル）２の四辺にそれぞれ枠体３，…が固着されている。
【００１４】
枠体３は、バックボード２に固着された基部材４と、該基部材４に対し蝶番式に回動自在な押え部材５とを備えた開閉式の枠体として構成されている。押え部材５は、断面湾曲形状に形成され、その内側には空間６が形成されている。図中の７はバックボード２のコーナー部に固着されたコーナ部材である。
【００１５】
前記枠体３の押え部材５は、図６に示すように、その基部に設けた嵌合溝５ａに基部材４の隆起部４ａに設けた断面概略円形の嵌合凸部４ｂが回動自在に嵌合しており、この嵌合凸部を中心に回動自在となっている。また、押え部材５の長手方向の複数箇所（図示例では２箇所）に、該押え部材５を押圧する板バネ８が取り付けられている。板バネ８は、押え部材５の自由端部と、基部材４の隆起部４ａとの間に設けられ、その両端部は、前記隆起部４ａに設けた係合凹部４ｃと、押え部材５の自由端部に設けた係合凹部５ｂにそれぞれ係止されており、常時押え部材５をその自由端側に押圧している。このため、押え部材５がバックパネル２の面とほぼ直角な位置（死点）から閉側に位置する場合は、閉方向に付勢され、バックパネル２とほぼ直角な位置（死点）を開方向に越えた状態では開方向に付勢されるようになっている。
【００１６】
このポスターパネル１は、バックボード２上に重ねられたポスターＰの表面に重ねて該ポスターを保護するためのアクリル樹脂製の透光性表面カバー９を備えている。透光性表面カバー９の一辺には、小さなツマミ９ａが設けられ、取扱を容易にしている。
【００１７】
このポスターパネル１は、両面粘着テープ１０を備えている。両面粘着テープ１０は、図３に示すように、芯材となる紙等のシート１１の一方の面にアクリル系粘着剤の強粘着層１２が形成され、他方の面に弱粘着性の特殊ポリマーフォームからなる弱粘着層１３が形成されている。両面粘着テープ１０をポスターパネルに取り付けない不使用時には、上記強粘着層１２と弱粘着層１３の表面がそれぞれ離型紙１４で保護されている。
【００１８】
このポスターパネル１にポスターを取り付ける場合は、図２の矢印に示すように前記枠体３の各押え部材５を開き、一方（上側）の枠体３の下側付近に両面粘着テープ１０を取り付ける。この場合、離型紙１４を剥し取り、枠体２に沿うように強粘着層１２側をバックボード２の表面に粘着固定する。
【００１９】
両面粘着テープ１０をバックボードに取り付けたら、その弱粘着層１３側の離型紙１４を剥し、その上にポスターＰの上縁部をあてがって粘着固定する。これにより、ポスターＰの一辺が所定位置で固定されるので、図５に示すように、その部分を起点としてポスターＰを引き伸ばし、その上から透光性表面カバー９を被せ、四辺をそれぞれの位置にある枠体３の押え部材５で押圧固定する。この状態では、ポスターＰが枠体３の押え部材５とバックボード２との間で挟圧され、しっかりと保持される。透光性表面カバー９が無い場合は、ポスター自体の四辺をそれぞれの側の枠体３で直接固定すればよい。
【００２０】
このポスターパネル１は、開閉式の枠体３と、両面粘着テープ１０とを備えていて、予め両面粘着テープ１０をバックボード２の端縁部に粘着固定し、その上にポスターＰの端縁部を固定することができるので、筒状に丸めたポスターや巻き癖のついたポスターでも、端縁部を所定の位置に粘着固定することにより、全体を片手で簡単に引き伸ばすことができる。このため、ポスターを適正な位置に適正な姿勢で簡単に取り付けることができる。ポスターＰを取り付けたポスターパネル１は、図４に示す裏面側のビス穴１７もしくは他の固定手段を利用して、壁等に取り付けることができる。
【００２１】
一方、ポスターを差し替え（交換）するときは、すべての枠体３の押え部材５を開いてポスターＰを取り外すが、このとき、両面粘着テープ１０に粘着している部分は、引き剥し方向の力を加えることにより、簡単に引き剥すことができる。ポスターを粘着固定している粘着層は弱粘着層１３であるので、引き剥しが簡単である。
【００２２】
ポスターを剥した両面粘着テープ１０は、そのまま新たなポスターの固定に使用することができるが、古くなって粘着性能が低下した場合は、両面粘着テープ１０自体をバックボード２から取り外して、新たな両面粘着テープ１０を取り付ければよい。
【００２３】
以上の説明では、ポスターパネル１に両面粘着テープを取り付けて使用する場合について述べたが、ポスターパネル１自体に予め両面粘着テープを取り付けておいてもよい。また、以上の説明では、四角形のポスターパネルについて述べたが、多角形、円形等他の形状のものであってもよい。
【００２４】
さらに、上記実施形態では、四角形のポスターパネルのすべての辺に開閉式の押え部材５を備えた枠体３が設けられているが、少なくとも一辺の枠体３だけを開閉式とし、他の辺の枠体は、断面コ字状の溝を有する固定式の枠体としておくこともできる。この場合は、ポスターを開閉式の枠体３の位置から、該ポスターの縁部が固定式の枠体の断面コ字状の溝内に嵌合ように挿入しスライドさせる。そして、ポスターＰが十分に挿入された状態で、当該ポスターの縁部を前記開閉式枠体の位置に貼着されている両面粘着テープ１０で粘着固定すればよい。これにより、ポスターが所定の位置に適正な姿勢で固定される。
【００２５】
なお、上記両面粘着テープ１０は、図示したような開閉式のポスターパネルだけではなく、上記スライド式のポスターパネル等、他の用途に使用することができることはいうまでもない。
【産業上の利用可能性】
【００２６】
本発明に係るポスターパネルは、工業生産的に製造することができ、遊技場等、人の集まるところに装飾用のポスターや、注意書き、使用説明書等を展示するために使用するに適したものである。
【図面の簡単な説明】
【００２７】
【図１】ポスターパネルの一例を表す正面である。
【図２】ポスターパネルの分解図である。
【図３】両面粘着テープの断面図である。
【図４】ポスターパネルの背面図である。
【図５】ポスターの取り付け方法の説明図である。
【図６】押え部材の断面図であり（ａ）は開状態、（ｂ）は閉状態を表す。
【符号の説明】
【００２８】
１        ポスターパネル
２        バックボード（下地パネル）
３        枠体
４        基部材
５        押え部材
９        表面カバー
１０        両面粘着テープ
１２        強粘着層
１３        弱粘着層
Ｐ        ポスター
【図１】
2009169114.tif 000003
【図２】
2009169114.tif 000004
【図３】
2009169114.tif 000005
【図４】
2009169114.tif 000006
【図５】
2009169114.tif 000007
【図６】
2009169114.tif 000008